(57)【特許請求の範囲】
【請求項１】
縦糸及び横糸で平袋織された外筒敷布からなる細巾織物において、
該外筒敷布の内側に、非伸縮性糸からなる非伸縮性芯糸と伸縮性糸からなる伸縮性芯糸とが、長手方向に伸びて挿入され、
該外筒敷布が綴じ糸で層状に逢着されベルト状に一体化された非伸縮区間と、
該綴じ糸が、該外筒敷布の内側に、該非伸縮性芯糸と該伸縮性芯糸と並行に挿入された伸縮区間とを備えることを特徴とする細巾織物。
【請求項２】
前記非伸縮区間が、前記綴じ糸で綴じられることにより平二重織りされており、
前記伸縮区間が、該綴じ糸で綴じられない平袋織りされていることを特徴とする請求項１記載の細巾織物。
【請求項３】
縦糸及び横糸で平袋織された外筒敷布からなる細巾織物の製造方法において、
該外筒敷布になるように該縦糸及び該横糸を平袋織りしつつ、該外筒敷布の内側に、非伸縮性糸からなる非伸縮性芯糸と伸縮性糸からなる伸縮性芯糸とを、長手方向に伸びて挿入し、
所定区間、該外筒敷布を綴じ糸で層状に逢着してベルト状に一体化して非伸縮区間を形成させ、
所定区間、該綴じ糸での逢着を行わず該綴じ糸を該外筒敷布の内側に、該非伸縮性芯糸と該伸縮性芯糸と並行に挿入させて伸縮区間を形成させることを特徴とする細巾織物の製造方法。
【請求項４】
前記非伸縮区間が、前記綴じ糸で綴じられることにより平二重織りされており、
前記伸縮区間が、該綴じ糸で綴じられない平袋織りされていることを特徴とする請求項３記載の細巾織物の製造方法。
【発明の詳細な説明】
【技術分野】
【０００１】
本発明は、細巾織物及び細巾織物の製造方法に関する。
【背景技術】
【０００２】
従来より、各種の結束具としてバンド状の細巾織物が用いられている。多くの細巾織物は、全体的に伸縮性が無いか、または全体的に伸縮性を有するものである。一方、特許文献１に示されるような細巾織物は、伸縮性のある部分と伸縮性のない部分との双方からなっている。この特許文献１の細巾織物は、伸縮性のある第１の縦糸及び伸縮性のない第２の縦糸からなる縦糸と、この縦糸に打ち込まれた伸縮性のない横糸とにより構成され、横糸を密度を変えることで、伸縮性のある部分と伸縮性のない部分とをつくりだしている。
【先行技術文献】
【特許文献】
【０００３】
【特許文献１】特開２０００−９６３８５号公報
【発明の概要】
【発明が解決しようとする課題】
【０００４】
しかしながら、従来の細巾織物では、伸縮性のある部分でも横糸があることから、十分な伸縮性を確保することが困難であった。また、伸縮性のある部分と伸縮性のない部分との見分けがしづらく、伸縮性のありなしを使い分けることが困難であった。
【０００５】
本発明は、このような事情に鑑みてなされたもので、十分な伸縮性を確保した区間を有し、非伸縮区間と伸縮区間とが明確に区別できる細巾織物及び細巾織物の製造方法を提供することにある。
【課題を解決するための手段】
【０００６】
請求項１記載の細巾織物は、外筒敷布の内側に、非伸縮性糸からなる非伸縮性芯糸と伸縮性糸からなる伸縮性芯糸とが、長手方向に伸びて挿入され、外筒敷布が綴じ糸で層状に逢着されベルト状に一体化された非伸縮区間と、綴じ糸が、外筒敷布の内側に、非伸縮性芯糸と伸縮性芯糸と並行に挿入された伸縮区間とを備えることを特徴とする。
【０００７】
請求項２記載の細巾織物は、非伸縮区間が、綴じ糸で綴じられることにより平二重織りされており、伸縮区間が、綴じ糸で綴じられない平袋織りされていることを特徴とする。
【０００８】
請求項３記載の細巾織物の製造方法は、外筒敷布になるように縦糸及び横糸を平袋織りしつつ、外筒敷布の内側に、非伸縮性糸からなる非伸縮性芯糸と伸縮性糸からなる伸縮性芯糸とを、長手方向に伸びて挿入し、所定区間、外筒敷布を綴じ糸で層状に逢着してベルト状に一体化して非伸縮区間を形成させ、所定区間、綴じ糸での逢着を行わず綴じ糸を外筒敷布の内側に、非伸縮性芯糸と伸縮性芯糸と並行に挿入させて伸縮区間を形成させることを特徴とする。
【０００９】
請求項４記載の細巾織物の製造方法は、非伸縮区間が、綴じ糸で綴じられることにより平二重織りされており、伸縮区間が、綴じ糸で綴じられない平袋織りされていることを特徴とする。
【発明の効果】
【００１０】
発明によれば、伸縮区間が、綴じ糸が外筒敷布の内側に非伸縮性芯糸と伸縮性芯糸と並行に挿入され、外筒敷布が綴じ糸で層状に逢着されていないことで、十分な伸縮性を確保した区間を有し、非伸縮区間と伸縮区間とが明確に区別できる。
【図面の簡単な説明】
【００１１】
【図１】本発明に係る細巾織物の一例を示す説明図である。
【図２】同細巾織物の非伸縮区間の長手方向断面を示す説明図である。
【図３】同細巾織物の非伸縮区間の巾方向断面を示す説明図である。
【図４】同細巾織物の伸縮区間の長手方向断面を示す説明図である。
【図５】同細巾織物の伸縮区間の巾方向断面を示す説明図である。
【図６】同細巾織物の綴じ糸の様子を示す説明図である。
【発明を実施するための形態】
【００１２】
以下、本発明の形態について図面を参照しながら具体的に説明する。図１は、本発明に係る細巾織物の一例を示す説明図である。図２は、同細巾織物の非伸縮区間の長手方向断面を示す説明図である。図３は、同細巾織物の非伸縮区間の巾方向断面を示す説明図である。図４は、同細巾織物の伸縮区間の長手方向断面を示す説明図である。図５は、同細巾織物の伸縮区間の巾方向断面を示す説明図である。図６は、同細巾織物の綴じ糸の様子を示す説明図である。
【００１３】
図において、本実施の形態に掛かる細巾織物１は、各種の結束具としてバンド状の細巾の織物である。細巾織物１は、縦糸１２及び横糸１４で平袋織された外筒敷布からなる。そして、細巾織物１は、伸縮性のない部分である非伸縮区間Ａと、伸縮性のある部分伸縮区間Ｂとで構成されている。非伸縮区間Ａは、図２及び図３で示すような構造を有している。具体的には、縦糸１２と横糸１４とで織られた外筒敷布１０の内側に、非伸縮性糸からなる非伸縮性芯糸２０と、伸縮性糸からなる伸縮性芯糸２２とが、長手方向に伸びて挿入されている。
【００１４】
そして、この非伸縮区間Ａは、図２及び図３に示すように、外筒敷布１０が綴じ糸１６で層状に逢着されベルト状に一体化されている。これにより、外筒敷布１０の内部に伸縮性芯糸２２があるものの、その伸縮性は外筒敷布１０が逢着されていることで、機能を発揮することができず、非伸縮区間Ａとなるのである。尚、縦糸１２、横糸１４、綴じ糸１６及び非伸縮性芯糸２０には、例えばポリエステル系の糸を用い、伸縮性芯糸２２には、例えば東レ・オペロンテックス株式会社製のライクラ・カバーリング糸を用いる。
【００１５】
伸縮区間Ｂは、図４及び図５で示すような構造を有している。具体的には、縦糸１２と横糸１４とで織られた外筒敷布１０の内側に、非伸縮性糸からなる非伸縮性芯糸２０と、伸縮性糸からなる伸縮性芯糸２２と、綴じ糸１６とが、長手方向に伸びて挿入されている。すなわち、伸縮区間Ｂは、非伸縮区間Ａとは異なり、外筒敷布１０が綴じ糸１６では逢着されておらず、図１に示すように、積層された状態ではなく外筒敷布１０が筒状になっている。
【００１６】
そして、外筒敷布１０の内部に非伸縮性芯糸２０があるものの、伸縮性芯糸２２が伸縮性を発揮し、伸縮性区間Ｂは常時縮んだ状態で保持され蛇腹状になっている。尚、伸縮性区間Ｂが外力で伸ばされた状態では、非伸縮性芯糸２０が細巾織物１の全体の強度を保持することになる。
【００１７】
次に、本実施の形態の細巾織物１の製造方法を説明する。まず、外筒敷布１０になるように縦糸１２及び横糸１４を平袋織りする。そして、非伸縮区間Ａを織る場合、平袋織りと同時に、外筒敷布１０の内側に、非伸縮性芯糸２０と伸縮性芯糸２２とを、長手方向に伸びて挿入し、所定区間、外筒敷布１０を綴じ糸１６で層状に逢着してベルト状に一体化する。
【００１８】
伸縮区間Ｂを織る場合、平袋織りと同時に、所定区間、綴じ糸１６での逢着を行わず綴じ糸１６を外筒敷布１０の内側に、非伸縮性芯糸２０と伸縮性芯糸２２と並行に挿入させる。尚、非伸縮区間Ａと伸縮区間Ｂとは、細巾織物１の用途等を考慮し任意に区間を定めて製造するようにすればよい。但し、細巾織物１の両端は非伸縮区間Ａとする必要がある。
【００１９】
尚、図６にも示すように、非伸縮区間Ａが、綴じ糸１６で綴じられることにより平二重織りされており、伸縮区間Ｂが、綴じ糸１６で綴じられない平袋織りされていることになる。
【００２０】
以上のような本実施の形態の細巾織物１によれば、伸縮区間Ｂが、綴じ糸１６が外筒敷布１０の内側に非伸縮性芯糸２０と伸縮性芯糸２２と並行に挿入され、外筒敷布１０が綴じ糸１６で層状に逢着されていないことで、細巾織物１が十分な伸縮性を確保した区間を有している。また、非伸縮区間Ａは、外筒敷布１０を綴じ糸１６で層状に逢着してベルト状に一体化しているのに対し、伸縮区間Ｂは、外筒敷布１０が綴じ糸１６では逢着されておらず蛇腹状になっていることから、非伸縮区間Ａと伸縮区間Ｂとが明確に区別できる。このため、細巾織物１を使用する場合、非伸縮区間Ａと伸縮区間Ｂとを適宜選択して使用することが容易である。
【００２１】
尚、伸縮区間Ｂにおいては、その伸縮性により物の締め付け効果を有しつつ、非伸縮性芯糸２０が挿入されていることで、所定の強度を維持している。
【産業上の利用可能性】
【００２２】
以上のように、本発明によれば、十分な伸縮性を確保した区間を有し、非伸縮区間と伸縮区間とが明確に区別できる細巾織物及び細巾織物の製造方法を提供することができる。
【符号の説明】
【００２３】
１・・・・細巾織物
８・・・・フック
１０・・・外筒敷布
１２・・・縦糸
１４・・・横糸
１６・・・綴じ糸
２０・・・非伸縮性芯糸
２２・・・伸縮性芯糸
Ａ・・・・非伸縮区間
Ｂ・・・・伸縮区間
【図１】
0005383456.tif 000002
【図２】
0005383456.tif 000003
【図３】
0005383456.tif 000004
【図４】
0005383456.tif 000005
【図５】
0005383456.tif 000006
【図６】
0005383456.tif 000007